(57)【要約】【課題】テープ幅の上側と下側に文字を印刷し、印刷された上側と下側を鋏等の使用なしに綺麗に切り離して区分けができ、一方、テープ幅全体に文字を印刷した場合には、切り離すことなく貼り付けることができる印刷媒体と、この印刷媒体を使用して区分け用の印刷とテープ幅全体に印刷ができる印刷制御を備えたテープ作成装置を提供する。【解決手段】分割印刷用テープ２２及び分割両面粘着テープ２４が予め接着された分割印刷用テープクミ４６からなり、分割印刷用テープ２２の表面にインク２３ａを付着させて文字や記号を印刷する印刷媒体３８であって、分割両面粘着テープ２４の粘着基材１７には、分割両面粘着テープ２４の幅方向と直行する粘着基材スリット１７ｃを備え、分割印刷用テープ２２には、粘着基材１７の粘着基材スリット１７ｃと同一方向に引き裂かれる易引裂性を備えた。【選択図】図４
2007226082.tif 000002
【特許請求の範囲】
【請求項１】
印刷用テープ及び両面粘着テープからなり、印刷用テープの表面にインクを付着させて文字や記号を印刷する印刷媒体であって、
前記両面粘着テープを構成する粘着基材には、両面粘着テープの幅方向と直行するスリットを備え、
前記印刷用テープは、前記両面粘着テープのスリットと同一方向に引き裂かれる易引裂性を備えたことを特徴とする印刷媒体。
【請求項２】
印刷用テープ及び両面粘着テープからなり、印刷用テープの表面にインクを付着させて文字や記号を印刷した後にその印刷面と両面粘着テープとが貼り合わされる印刷媒体であって、
前記両面粘着テープを構成する粘着基材には、両面粘着テープの幅方向と直行するスリットを備え、
前記印刷用テープは、前記両面粘着テープと貼り合わされた後に両面粘着テープのスリットと同一方向に引き裂かれる易引裂性を備えたことを特徴とする印刷媒体。
【請求項３】
前記印刷用テープの上面には、前記両面粘着テープのスリットと同一位置にスリットを備えたカバーフィルムが接着されていることを特徴とする請求項１又は請求項２に記載の印刷媒体。
【請求項４】
前記印刷用テープには、前記両面粘着テープのスリットと同一位置に点線状の孔が設けられていることを特徴とする請求項１乃至請求項３のいずれかに記載の印刷媒体。
【請求項５】
前記印刷用テープは、一軸延伸加工又は二軸延伸加工により易引裂性を備えた高分子フィルムであることを特徴とする請求項１乃至請求項４のいずれかに記載の印刷媒体。
【請求項６】
請求項１乃至請求項５のいずれかに記載の印刷媒体を収納し、前記印刷媒体の形態に応じてテープ情報を形成した被検出部を有するテープカセット。
【請求項７】
請求項６に記載のテープカセットを着脱可能なテープカセット保持部と、前記テープカセットの種類を判別する種類判別手段と、前記種類判別手段に基づく前記印刷媒体の幅を検出する幅検出手段と、前記種類判別手段に基づく前記印刷媒体のスリット数を検出するスリット数検出手段と、前記幅検出手段及びスリット数検出手段に基づいて、それぞれ区分けされる印刷媒体の幅に印刷可能な最大文字のポイント数を検索する検索手段と、前記検索手段に基づいて検索された結果を表示する表示手段と、を備えたことを特徴とするテープ作成装置。
【請求項８】
前記幅検出手段及びスリット数検出手段に基づいて、それぞれ区分けされる少なくとも二つ以上の印刷媒体に文字や記号をオーバーラップして印刷する印刷制御手段を備えたことを特徴とする請求項７に記載のテープ作成装置。
【発明の詳細な説明】
【技術分野】
【０００１】
本発明は、印刷媒体及びテープ作成装置に関し、特に易引裂性を備えた印刷媒体及び易引裂性が備えられた印刷媒体を使用したテープ作成装置に関するものである。
【背景技術】
【０００２】
従来、本願出願人は、特許文献１に記載のように、キーボード、表示用ディスプレイ、印刷機構を備え、印刷媒体としてのテープ（例えば、テープ幅６，９，１２，１８，２４、３６（ｍｍ））に文字や記号等を印刷できる文書処理装置であって、ファイルの背表紙に貼付するのに適したテープ状のラベルを作成するのに好適の文書処理装置を実用化し、この文書処理装置に種々の編集機能を付与したものを提案した。
【０００３】
前記文書処理装置では、テープカセットを交換することで、テープの幅を変更することが可能であり、キャラクタはテープ幅に応じて設定されたキャラクタサイズで印刷される。
ところが同一形状のテープを大量に作成する場合は、頻繁にテープカセットを交換しなければならないという煩わしさがあった。この場合、同一内容の印刷を上下２段に行い鋏等で切り分けるという方法もあるが、労力が掛かる割に上手く裁断されず、対象物に貼ったとき美観を損なうという問題がある。また、テープカセットのサイズが決まっているのでテープをこれ以上増量することもできないという問題もある。
【０００４】
上述の問題点を解決するための一つの方策として特許文献２に、テープカセットに収納される印刷媒体は、印刷面の裏面に粘着基材層が形成された印刷テープ本体と、印刷テープ本体に粘着基材層を介して一体化された剥離紙と、からなり、印刷テープ本体には剥離紙から剥離された際に複数のテープに分離可能に長手方向に沿った切り込みが形成されて構成される技術が開示されている。
【０００５】
【特許文献１】実開平１−８５０５０号公報
【０００６】
【特許文献２】特開２００２−２４０３５６号公報
【発明の開示】
【発明が解決しようとする課題】
【０００７】
しかしながら、上述した公報のテープカセットに収納された印刷媒体においては、同一形状のテープを大量に作成する場合に、頻繁にテープカセットを交換しなければならないという煩わしさは解消されたが、逆にテープ幅全体を使用して文字を印刷した場合、バラバラになったテープを並べて貼り付けるために印刷した文字にズレが発生して見苦しいという問題がある。また、テープを対象物に貼ったときに印刷面が表になるように文字等が印刷されるので、使用中のこすれなどでインクが剥がれて判読できなくなるという問題もある。
【０００８】
以上のような状況に鑑み、本発明の目的は、上述した問題点を解決するためになされたものであり、印刷媒体の印刷用テープに易引裂性を備えたテープを使用することにより、同一形状のテープを大量に作成する場合には、易引裂性を利用して、例えば、テープ幅の上側と下側にそれぞれ文字を印刷し、印刷された上側と下側を鋏等の道具を使用せずに綺麗に切り離して区分けができ、一方、テープ幅全体を使用して文字を印刷した場合には、切り離すことなくそのまま貼り付けることができる耐擦過性の良い印刷媒体と、この印刷媒体を使用して区分け用の印刷とテープ幅全体に印刷ができる印刷制御を備えたテープ作成装置を提供することを目的とする。
【課題を解決するための手段】
【０００９】
前記目的を達成するために請求項１に係る印刷媒体は、印刷用テープ及び両面粘着テープからなり、印刷用テープの表面にインクを付着させて文字や記号を印刷する印刷媒体であって、前記両面粘着テープを構成する粘着基材には、両面粘着テープの幅方向と直行するスリットを備え、前記印刷用テープは、前記両面粘着テープのスリットと同一方向に引き裂かれる易引裂性を備えたことを特徴とする。
【００１０】
また、請求項２に係る印刷媒体は、印刷用テープ及び両面粘着テープからなり、印刷用テープの表面にインクを付着させて文字や記号を印刷した後にその印刷面と両面粘着テープとが貼り合わされる印刷媒体であって、前記両面粘着テープを構成する粘着基材には、両面粘着テープの幅方向と直行するスリットを備え、前記印刷用テープは、前記両面粘着テープと貼り合わされた後に両面粘着テープのスリットと同一方向に引き裂かれる易引裂性を備えたことを特徴とする。
【００１１】
また、請求項３に係る印刷媒体は、請求項１又は請求項２に記載の印刷媒体において、前記印刷用テープの上面には、前記両面粘着テープのスリットと同一位置にスリットを備えたカバーフィルムが接着されていることを特徴とする。
【００１２】
また、請求項４に係る印刷媒体は、請求項１乃至請求項３のいずれかに記載の印刷媒体において、前記印刷用テープには、前記両面粘着テープのスリットと同一位置に点線状の孔が設けられていることを特徴とする。
【００１３】
また、請求項５に係る印刷媒体は、請求項１乃至請求項４のいずれかに記載の印刷媒体において、前記印刷用テープは、一軸延伸加工又は二軸延伸加工により易引裂性を備えた高分子フィルムであることを特徴とする。
【００１４】
また、請求項６に係るテープカセットは、請求項１乃至請求項５のいずれかに記載の印刷媒体を収納し、前記印刷媒体の形態に応じてテープ情報を形成した被検出部を有することを特徴とする。
【００１５】
また、請求項７に係るテープ作成装置は、請求項６に記載のテープカセットを着脱可能なテープカセット保持部と、前記テープカセットの種類を判別する種類判別手段と、前記種類判別手段に基づく前記印刷媒体の幅を検出する幅検出手段と、前記種類判別手段に基づく前記印刷媒体のスリット数を検出するスリット数検出手段と、前記幅検出手段及びスリット数検出手段に基づいて、それぞれ区分けされる印刷媒体の幅に印刷可能な最大文字のポイント数を検索する検索手段と、前記検索手段に基づいて検索された結果を表示する表示手段と、を備えたことを特徴とする。
【００１６】
そして、請求項８に係るテープ作成装置は、請求項７に記載のテープ作成装置において、前記幅検出手段及びスリット数検出手段に基づいて、それぞれ区分けされる少なくとも二つ以上の印刷媒体に文字や記号をオーバーラップして印刷する印刷制御手段を備えたことを特徴とする。
【発明の効果】
【００１７】
請求項１に係る印刷媒体は、印刷用テープ及び両面粘着テープからなり、印刷用テープの表面にインクを付着させて文字や記号を印刷する印刷媒体であって、両面粘着テープを構成する粘着基材には、両面粘着テープの幅方向と直行するスリットを備え、印刷用テープは、両面粘着テープを構成する粘着基材のスリットと同一方向に引き裂かれる易引裂性を備えたことにより、印刷用テープに両面粘着テープを構成する粘着基材のスリットを境としてスリットの両サイドに文字を印刷し、印刷用テープに備えられた両面粘着テープを構成する粘着基材のスリットと同一方向の易引裂性を利用して両面粘着テープを構成する粘着基材のスリット部分で引き裂いて印刷されたテープを作成することにより、１本の印刷用テープから少なくとも２倍の印刷されたテープを作成することができる。また、印刷用テープは、易引裂性を有しているので鋏等の道具を使うことなしに手動で簡単に引き裂くことができる。更に、両面粘着テープを構成する粘着基材は、両面粘着テープの粘着基材に設けられたスリット部分で印刷用テープを確実に引き裂くための補強部材となり、両面粘着テープの粘着基材に設けられたスリット部分以外で印刷用テープが引き裂かれることを防止することができる。
一方、テープ幅全体を使用して文字等を印刷した場合には、印刷用テープが一枚の印刷用テープであるので切り離すことなくそのまま貼り付けることができる。それ故、スリットの入った印刷用テープ全体に文字等を印刷した後に、スリットでバラバラになったテープを貼り合わせたために印刷された文字がずれてしまうという問題を解決することができる。
この印刷用テープは、１本の印刷用テープから文字等の印刷された複数の異なるテープ幅のテープを作成することができるので、作成するテープ幅に合わせたテープにその都度交換するという煩わしさを無くすことができる。
【００１８】
また、請求項２に係る印刷媒体は、印刷用テープ及び両面粘着テープからなり、印刷用テープの表面にインクを付着させて文字や記号を印刷した後にその印刷面と両面粘着テープとが貼り合わされる印刷媒体であって、両面粘着テープを構成する粘着基材には、両面粘着テープの幅方向と直行するスリットを備え、印刷用テープは、両面粘着テープと貼り合わされた後に両面粘着テープを構成する粘着基材のスリットと同一方向に引き裂かれる易引裂性を備えたことにより、請求項１の効果に加え、印刷用テープの表面にインクを付着させて文字や記号を印刷した後に、その印刷面と両面粘着テープとを貼り合わせることによって印刷面の文字や記号が印刷用テープ自体で保護することになるので、使用中のこすれなどでインクが剥がれて判読できなくなるという問題を解決することができる。
【００１９】
また、請求項３に係る印刷媒体では、印刷用テープの上面に、両面粘着テープを構成する粘着基材のスリットと同一位置にスリットを備えたカバーフィルムが接着されていることにより、両面粘着テープを構成する粘着基材とカバーフィルムは、両面粘着テープの粘着基材とカバーフィルムに設けられたスリット部分で印刷用テープを確実に引き裂くための補強部材となり、両面粘着テープの粘着基材とカバーフィルムに設けられたスリット部分以外で印刷用テープが引き裂かれることを防止することができる。
【００２０】
また、請求項４に係る印刷媒体では、印刷用テープに、両面粘着テープを構成する粘着基材のスリットと同一位置に点線状の孔が設けられていることにより、印刷用テープは両面粘着テープを構成する粘着基材のスリットと同一方向に易引裂性を備えているが、印刷用テープに両面粘着テープを構成する粘着基材のスリットと同一位置に点線状の孔を設けることによって、鋏等の道具を使用することなしに印刷用テープを両面粘着テープが構成される粘着基材のスリットの位置でより確実に引き裂くことができる。
【００２１】
また、請求項５に係る印刷媒体は、印刷用テープが、一軸延伸加工又は二軸延伸加工により易引裂性を備えた高分子フィルムであるので、延伸加工による易引裂性によって鋏等の道具を使用すること無く手動で直線的に引き裂いて区分けすることができる。また、印刷媒体は、印刷用テープが、高分子フィルムであるので出来上がった質感がよい。更に、透明印刷用テープとカラーの両面粘着テープとの組み合わせによって印刷媒体の色を自由に選択できる。
【００２２】
また、請求項６に係るテープカセットは、印刷媒体を収納し、印刷媒体の形態に応じてテープ情報を形成した被検出部を有するので、テープ作成装置がその被検出部のテープ情報を読み取ることにより、収納されている印刷媒体の素性が分かり、操作者に文字等を印刷する前に収納されている印刷媒体の素性を知らせることによって、操作者に確認を取ることができる。そのため、印刷した後で操作者が所望する印刷媒体３８と異なることが分かり、操作を遣り直すという作業を防止することができる。また、テープ作成装置が読み取った被検出部からのテープ情報に対応する予め決められた印刷条件に基づいて、テープ作成装置は、印刷媒体に適切な印刷を行うことができる。
【００２３】
また、請求項７に係るテープ作成装置では、テープカセットを着脱可能なテープカセット保持部と、テープカセットの種類を判別する種類判別手段と、種類判別手段に基づく印刷媒体の幅を検出する幅検出手段と、種類判別手段に基づく印刷媒体のスリット数を検出するスリット数検出手段と、幅検出手段及びスリット数検出手段に基づいて、それぞれ区分けされる印刷媒体の幅に印刷可能な最大文字のポイント数を検索する検索手段と、検索手段に基づいて検索された結果を表示する表示手段と、を備えたことにより、テープカセットをテープカセット保持部に装着すると、テープカセットの種類、印刷媒体の区分けされる数、区分けされたそれぞれの印刷媒体の幅と印刷可能な最大文字のポイント数が表示手段に表示されるので、操作者は、印刷媒体に印刷するための文字等を入力する前に、入力に必要な情報を入手することができる。そのため、試し印刷をする必要がないので印刷媒体の無駄な消費を防止でき、余分な手間を省くことができる。
【００２４】
そして、請求項８に係るテープ作成装置では、幅検出手段及びスリット数検出手段に基づいて、それぞれ区分けされる少なくとも二つ以上の印刷媒体に文字や記号をオーバーラップして印刷する印刷制御手段を備えたことにより、このテープ作成装置に装着される１本の印刷媒体から、スリットで区分けされて文字等が印刷された最小単位の印刷媒体を作成したり、または、この最小単位の少なくとも印刷媒体二つ分に渡って文字等を印刷した印刷媒体を作成したりという具合に、文字等の印刷された複数の異なる幅の印刷媒体を作成することができる。そのため、作成する印刷媒体の幅に合わせてその度に印刷媒体を交換するという煩わしさを無くすことができる。
【発明を実施するための最良の形態】
【００２５】
以下、本発明を具体化した第１実施形態を図面に基づいて詳細に説明する。先ず、第１実施形態に係るテープ作成装置１の概略構成について図１、図２に基づき説明する。図１は、第１実施形態のテープ作成装置１の外形斜視図、図２は、テープ作成装置１のテープカセット収納部８の収納カバー１２を開けた場合の斜視図である。
【００２６】
図１、図２において、テープ作成装置１の本体フレーム２の前部にはキーボード３が配設され、また、キーボード３の上方寄りには、入力した文字や記号を表示可能な液晶ディスプレイ（以後はＬＣＤと省略）５が設けられている。更に、本体フレーム２の右側側面後方には、電源をＯＮ／ＯＦＦする為の電源スイッチ６が設けられている。そして、本体フレーム２の左側後方角には、ラベル用テープ３５又は４９をカットするためのカッター釦７が設けられている。
【００２７】
キーボード３には、アルファベット文字や数字や記号を入力する為の文字キー、スペースキー、Enterキー３ａ、カーソル移動キー３ｂ、Back Spaceキーや取消キー等の編集キー、印刷を指令する印刷キー３ｃが設けられている。これらは、氏名用のテープ、ファイル用の背表紙、複数のテープが並列に並んだ分割テープ等を印刷装置１で作成するときに必要に応じてアルファベット文字や数字や記号を入力するために使用される。
【００２８】
また、本体フレーム２の後側において、図２の収納カバー１２を開けた状態に示すように、ＬＣＤ５の後方には、後述する分割テープカセット２１又は４５（図３、図５参照）を収納するテープカセット収納部８が配設されている。かかるテープカセット収納部８には、テープ送りモータ３６（図７参照）から適宜の駆動機構を介して回転駆動されるリボン巻取軸９が立設されている。かかるリボン巻取軸９は、印刷後のインクリボン２３を巻き取るインクリボン巻取りリール３２（図３、図５参照）に嵌挿され、印刷スピードと同期して該インクリボン巻取りリール３２を回転駆動する。
【００２９】
そして、リボン巻取軸９の斜め前方（図２中、テープカセット収納部８の左下角）には、ステッピングモータ等により構成されるテープ送りモータ３６から適宜の伝達機構を介して回転駆動され、テープ駆動ローラ３７（図３、図５参照）を回転駆動するためのテープ駆動ローラ軸１０が立設されている。更に、テープカセット収納部８の前方（図２中、ＬＣＤ５側）には、分割印刷テープ２２又は分割印刷テープクミ４６（図３、図５参照）上に文字等の印刷を行なうサーマルヘッド１１が、後述の各分割テープカセット２１又は４５（図３、図５参照）を装着した際にその開口部３３に位置するように放熱を兼ねたサブフレーム１８に取り付けられて配置されている。また、サーマルヘッド１１に対向して、ローラ支持体１３（図３、図５参照）がプラテンローラ１４及び送りローラ１５（図３、図５参照）を回転可能に枢支すると共に、ローラ支持体回動軸１９を中心にして回動可能な状態で配置されている。尚、プラテンローラ１４及び送りローラ１５は、分割印刷テープ２２の最大幅であるテープ幅３６（mm）と同じであるか、またはそれよりも大きな幅に形成されている。また、かかる後述の各分割テープカセット２１又は４５（図３、図５参照）は、そのテープ幅やテープ種類によって複数の分割テープカセット２１又は４５が用意されている。かかる分割テープカセット２１又は４５の底壁部には、複数のテープ種検出用穴２０が形成され、このテープ種検出用穴２０の組合せによってテープ幅やテープ種類が決まり、この情報が本体フレーム２に設けられたテープカセット収納部８の右上角に取り付けられているテープ種検出センサ３４（図２、図７参照）で読み取られる。そして、かかるテープカセット収納部８は、テープ作成装置１の後方に回動可能に枢支された収納カバー１２により開閉され、開状態で分割テープカセット２１又は４５の交換等が行われる。
【００３０】
次に、第１実施形態に係るラミネートタイプの分割テープカセット２１の構成について図３に基づき説明する。図３は、ラミネートタイプの分割テープカセット２１がテープ作成装置１に装着された場合の分割テープカセット２１の上ケースを除いた要部を示す平面図である。図３に示すように、分割テープカセット２１はテープの長さ方向に易引裂性を有する透明テープ等からなる分割印刷テープ２２、この分割印刷テープ２２に印刷を施すためのインクリボン２３、更には、印刷がなされた分割印刷テープ２２に裏貼りされる粘着基材スリット１７ｃで分割された分割粘着基材右１７ａと分割粘着基材左１７ｂとで構成される粘着基材１７と剥離紙１６を備える分割両面粘着テープ２４（図４（Ｃ）参照）を各々、テープスプール２５、リール２６、テープスプール２７に巻回して、カセットケース本体２８の底面に立設されるカセットボス２９、リールボス３０、カセットボス３１に回転可能に嵌挿して収納したものであり、更に、使用済みのインクリボン２３を巻き取るインクリボン巻取リール３２を備えている。また、このような分割テープカセット２１は分割印刷テープ２２のテープ幅が異なるもの、即ち、通常テープカセットではテープ幅が６（mm）、９（mm）、１２（mm）、１８（mm）、２４（mm）、３６（mm）であるものが用意されているが、分割テープカセット２１ではテープ幅が２４（mm）、３６（mm）であるものが用意されている。そのため、テープ幅に合わせてインクリボン２３や分割両面粘着テープ２４の幅が異なり、各テープスプール２５、２７、リール２６も異なり、分割テープカセット２１自体の厚さ寸法も異なる。更に、分割テープカセット２１の片側下方部（図３中、左下側部）には、テープ送りモータ３６の駆動を受けて回転するテープ駆動ローラ３７が、回転自在に設けられている。このテープ駆動ローラ３７は、収納されている分割印刷テープ２２と同じ幅か若干大きく形成されている。
尚、分割印刷テープ２２に易引裂性を出現させるためには使用するテープに一軸延伸加工又は二軸延伸加工を施す必要がある。このような加工が施されて易引裂性を有し、分割印刷テープ２２に使用できる高分子フィルムには、東レ株式会社製の商品名「トレファンＹＴ１２、２２、トレファンＹＴ４２」、三井化学株式会社製の商品名「三井ハイブロンフィルム、三井ノーブレンフィルム」、出光ユニテック株式会社製の商品名「ユニアスロンＴＢ」、サン・トックス株式会社製の商品名「サン・トックス−ＭＰ ＴＣ０２、サン・トックス−ＯＰ ＤＰ３０」、ユニチカ株式会社製の商品名「エンブレムＮＣ、エンブレットＰＣ」、電気化学工業株式会社製の商品名「カラリアンＹ」等がある。
また、分割両面粘着テープ２４は、白色以外にカラーバリエーションを有しており、分割印刷テープ２２又は分割印刷テープクミ４６に印刷するインク２３ａにも黒色以外にカラーバリエーションを有しているので操作者が好むカラーバリエーションを選択することができる。
【００３１】
次に、図３、図４を参照して、ラミネートタイプのラベル用テープ３５を作成する工程を説明する。図４は、分割印刷テープ２２に文字等を印刷し、分割両面粘着テープ２４を接着してラミネートタイプのラベル用テープ３５を作成する工程を説明する説明図である。前記テープスプール２５から引き出された分割印刷テープ２２（図４（Ａ））は、ガイドピン４２等を経由して、前記リール２６から引き出された未使用インクリボン２３と重ね合わされ、該インクリボン２３と共に開口部３３に入り、サーマルヘッド１１及びプラテンローラ１４間を通過して文字等が印刷（図４（Ｂ））される。ここに、プラテンローラ１４は、印刷時に分割印刷テープ２２とインクリボン２３とを重ねた状態でサーマルヘッド１１に押圧する作用を有する。その後、インクリボン２３は、分割印刷テープ２２から引き離され、リボン巻取軸９により回転駆動されるインクリボン巻取リール３２に至り、このインクリボン巻取リール３２により巻き取られる。
【００３２】
また、前記分割両面粘着テープ２４は、片面に剥離紙を重ね合わされた状態で、剥離紙を外側にしてテープスプール２７に巻回されて収納されている。そして、このテープスプール２７から引き出された分割両面粘着テープ２４（図４（Ｃ））は、テープ駆動ローラ３７と送りローラ１５との間を通過する。ここに、送りローラ１５は、印刷後に分割印刷テープ２２と分割両面粘着テープ２４の剥離紙が重ね合わされない側の粘着面とをテープ駆動ローラ３７に押圧し、該分割両面粘着テープ２４を分割印刷テープ２２に貼着してラベル用テープ３５（図４（Ｄ））を作成しながら矢印Ｔ方向にテープ送りする作用を有する。また、分割両面粘着テープ２４の上下両端部には、不図示の樹脂フィルムより構成されるスペーサが挿入されている。このようにして、ラベル用テープ３５が作成される。
【００３３】
次に、第１実施形態に係るレセプタータイプの分割テープカセット４５の構成について図５に基づき説明する。図５は、レセプタータイプの分割テープカセット４５がテープ作成装置１に装着された場合の分割テープカセット４５の上ケースを除いた要部を示す平面図である。図５に示すように、分割テープカセット４５の構成は、ラミネートタイプの分割テープカセット２１の構成とほぼ同じである。但し、分割印刷テープ２２と、粘着基材スリット１７ｃで分割粘着基材右１７ａと分割粘着基材左１７ｂとに分割された粘着基材１７と剥離紙１６を備える分割両面粘着テープ２４と、が予め接着されている分割印刷テープクミ４６が、テープスプール４７に該剥離紙１６を外側にして巻回されて、カセットケース本体４８の底面に立設されるカセットボス４８Ａに回転可能に嵌挿して収納されている。また、この分割印刷テープクミ４６に印刷を施すためのインクリボン２３が、リール２６に巻回されてカセットケース本体４８の底面に立設されるリールボス３０に回転可能に嵌挿して収納されている。 また、分割印刷テープクミ４６の上下端部には、不図示の樹脂フィルムより構成されるスペーサが挿入されている。更に、使用済みのインクリボン２３を巻き取るインクリボン巻取リール３２を備えている。このような分割テープカセット４５は分割印刷テープクミ４６のテープ幅が異なるもの、即ち、通常テープカセットではテープ幅が６（mm）、９（mm）、１２（mm）、１８（mm）、２４（mm）、３６（mm）であるものが用意されているが、分割テープカセット２１ではテープ幅が２４（mm）、３６（mm）であるものが用意されている。そのため、テープ幅に合わせてインクリボン２３の幅が異なり、テープスプール４７、リール２６も異なり、分割テープカセット４５自体の厚さ幅寸法も異なる。更に、分割テープカセット４５の片側下方部（図３中、左下側部）には、テープ送りモータ３６の駆動を受けて回転するテープ駆動ローラ３７が、回転自在に設けられている。このテープ駆動ローラ３７は、収納されている分割印刷テープクミ４６と同じ幅か若干大きく形成されている。
【００３４】
次に、図５、図６を参照して、レセプタータイプのラベル用テープ４９を作成する工程を説明する。図６は、分割印刷テープクミ４６に文字等を印刷し、テープ駆動ローラ３７と送りローラ１５との間を通過させてレセプタータイプのラベル用テープ４９を作成する工程を説明する説明図である。前記テープスプール４７から引き出された分割印刷テープクミ４６（図６（Ａ））は、各ガイドピン４８Ｂ、４８Ｃ等を経由して、前記リール２６から引き出された未使用インクリボン２３と重ね合わされ、該インクリボン２３と共に開口部３３に入り、サーマルヘッド１１及びプラテンローラ１４間を通過して文字等が印刷される。ここに、プラテンローラ１４は、印刷時に分割印刷テープクミ４６とインクリボン２３とを重ねた状態でサーマルヘッド１１に押圧する作用を有する。その後、インクリボン２３は、分割印刷テープクミ４６から引き離され、リボン巻取軸９により回転駆動されるインクリボン巻取リール３２に至り、このインクリボン巻取リール３２により巻き取られる。
【００３５】
そして、サーマルヘッド１１により印刷された分割印刷テープクミ４６は、テープ駆動ローラ３７と送りローラ１５との間を通過する。ここに、送りローラ１５は、分割印刷テープクミ４６の印刷面をテープ駆動ローラ３７に押圧し、ラベル用テープ４９（図６（Ｂ））として矢印Ｔ方向にテープ送りする作用を有する。このようにして、ラベル用テープ４９が作成される。
【００３６】
次に、上記のように構成される第１実施形態のテープ作成装置１の制御系について図７を参照して説明する。図７は、テープ作成装置１の制御構成を示すブロック図である。制御装置５７の入出力インターフェイス５６には、キーボード３と、テープ種検出センサ３４と、ＬＣＤ５に表示データを出力する為のビデオＲＡＭ５９を有するディスプレイコントローラ（以後はＬＣＤＣと省略）５８と、サーマルヘッド１１を駆動する為の駆動回路６０と、テープ送りモータ３６を駆動する為の駆動回路６１とが、各々接続されている。
【００３７】
制御装置５７は、ＣＰＵ５０と、このＣＰＵ５０にデータバスなどのバス５５を介して接続された入出力インターフェイス５６、表示用キャラクタジェネレータＲＯＭ（表示用ＣＧＲＯＭ）５１、印刷用キャラクタジェネレータＲＯＭ（印刷用ＣＧＲＯＭ）５２、ＲＯＭ５３及びＲＡＭ５４とから構成されている。表示用ＣＧＲＯＭ５１には、アルファベット文字や記号などの多数のキャラクタの各々に関して、所定文字サイズの表示用ドットパターンデータが格納されている。印刷用ＣＧＲＯＭ５２には、アルファベット文字や記号などの多数のキャラクタの各々に関して、印刷用ドットパターンデータが、各フォント毎にコードデータに対応させて、複数の印刷文字サイズ分が格納されている。
【００３８】
前記ＲＯＭ５３のプログラムエリアには、キーボード３から入力された文字、数字、記号等のキャラクタのコードデータに対応させてＬＣＤＣ５８を制御する表示駆動制御プログラム５３ａ、印刷に供する１ドット列毎のドットパターンデータを順次サーマルヘッド１１に転送してテープ送りモータ３６を駆動させて印刷する印刷駆動プログラム５３ｂ、本願特有の分割テープカセット２１又は４５が検出されたとき、分割印刷テープ２２又は分割印刷テープクミ４６に印刷処理を行う分割テープ印刷処理プログラム５３ｃ、同様に分割テープカセット２１又は４５が検出されたとき、分割印刷テープ２２又は分割印刷テープクミ４６にオーバーラップ印刷処理を行う分割テープオーバーラップ印刷処理プログラム５３ｄ、検出されたテープカセットに内蔵されている印刷テープに対するテープの種類とテープ幅の表示とそのテープに対する印刷可能な文字サイズを表示して操作者の選択を可能にしたテープ種・テープ幅・印刷可能文字サイズ表示選択処理プログラム５３ｅが格納されている。更に、ＲＯＭ５３のデータエリアには、文字のフォントを選択するときに使用されるフォントデータ５３ｐ、テープ種・テープ幅・印刷可能文字サイズ表示選択処理プログラム５３ｅを実行するときに、参照するテープ種判別データ５３ｒ、同様にテープ種・テープ幅・印刷可能文字サイズ表示選択処理プログラム５３ｅを実行するときに、参照するテープ幅対印刷可能文字サイズデータ５３ｓが格納されている。
また、前記ＲＡＭ５４には、キーボード３から入力された文字列データを格納するテキストメモリ５４ａや、ＣＰＵ５０で演算した演算結果を一時的に格納するワークメモリ５４ｂ及びバッファ５４ｃが設けられている。
【００３９】
続いて、上述のように構成された印刷装置１において、印刷装置１のテープ種検出センサ３４によって分割テープカセット２１又は４５が検出されたとき、分割印刷テープ２２又は分割印刷テープクミ４６に印刷処理を行ってラベル用テープ３５又は４９を作成する操作の流れを図８乃至図１１に基づいて説明する。ここで、図８乃至図１１は、分割印刷テープ２２又は分割印刷テープクミ４６に印刷処理を行ってラベル用テープ３５又は４９を作成するフローチャートである。尚、フローチャートの図面におけるステップは、Ｓと略記する。
【００４０】
先ず、図８のフローチャートから説明する。図８の分割テープカセットの前提条件表６５に示すように分割テープカセット２１又は４５ではテープ幅が２４（mm）、３６（mm）の２種類であることが前提になっている。Ｓ１では、ラベル用テープ３５又は４９の作成時に使用されるフォントを設定する。次に、Ｓ２に進み、印刷装置１のテープカセット収納部８にセットされているテープカセットが分割テープカセット２１又は４５であるか判断する。この判断は、テープカセットに設けられたテープ種検出用穴２０の組み合わせによる情報を本体フレーム２に設けられたテープカセット収納部８の右上角に取り付けられているテープ種検出センサ３４（図２、図７参照）が読み取りＣＰＵ５０に送られてＣＰＵ５０が判断する。テープカセットが分割テープカセット２１又は４５でない場合は（Ｓ２：ＮＯ）、Ｓ３に進み、通常のラベル用テープ作成のステップに入る。Ｓ３では、テープカセット収納部８にセットされているテープカセットのテープの種類とテープ幅及びそのテープ幅に印刷可能な複数個の文字サイズがＬＣＤ５に表示される。次に、ＬＣＤ５に表示されている内容が所望するテープカセットであればＳ４に進み、Ｓ３で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。所望するテープカセットでなければ、テープカセットを所望するテープカセットと交換する。次に、Ｓ５に進み、キーボード３から文字及び記号等をテキストメモリ５４ａにテキスト入力し、入力が完了するとＳ１８に進む。Ｓ１８では、キーボード３の印刷キー３ｃを押下することにより印刷駆動プログラム５３ｂが稼働し、駆動回路６０、６１を介してサーマルヘッド１１及びテープ送りモータ３６が動作することによって、テープカセットの印刷テープにＳ５で入力されてテキストメモリ５４ａに格納されている文字及び記号等のデータがテキストメモリ５４ａから呼び出されて印刷される。そして、印刷された印刷テープがカッター釦７を押下することによってカットされラベル用テープが完成する。
【００４１】
Ｓ２に戻って、テープカセットが分割テープカセット２１又は４５である場合は（Ｓ２：ＹＥＳ）、Ｓ６に進み、分割可能なラベル用テープ作成のステップに入る。Ｓ６では、分割テープカセット２１又は４５の分割印刷テープ２２又は分割印刷テープクミ４６のテープ幅が２種類用意されている内のテープ幅２４（mm）であるか確認する。分割テープカセット２１又は４５の分割印刷テープ２２又は分割印刷テープクミ４６のテープ幅が２４（mm）である場合は（Ｓ６：ＹＥＳ）、Ｓ７に進み、Ｓ７では、分割印刷テープ２２又は分割印刷テープクミ４６の並び合うテープにオーバーラップしてキーボード３から入力する文字及び記号等を印刷するか否かを確認する。オーバーラップして印刷する場合は（Ｓ７：ＹＥＳ）、Ｓ８に進に進む。
【００４２】
Ｓ８からは、分割印刷テープ２２又は分割印刷テープクミ４６のテープ幅が２４（mm）のラベル用テープ３５又は４９を作成するステップに入る。Ｓ８では、テープカセット収納部８にセットされているテープカセットのテープの種類とテープ幅及びそのテープ幅に印刷可能な複数個の文字サイズがＬＣＤ５に表示される。次に、ＬＣＤ５に表示されている内容が所望する分割テープカセット２１又は４５であればＳ９に進み、Ｓ８で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
図１２に、テープカセット収納部８にセットされているテープカセットのテープの種類とテープ幅及びそのテープ幅に印刷可能な複数個の文字サイズがＬＣＤ５に表示された一例を示す。図１２は、テープカセット収納部８にセットされたテープカセットの内容表示と文字サイズの選択表示がＬＣＤ５に表示された状態を説明する説明図である。図１２によれば、テープカセット収納部８にセットされたテープカセットは、テープ幅２４（mm）のラミネートタイプの分割印刷テープ２２を内蔵する分割テープカセット２１であり、テープの色は白、文字の色は黒であり、印刷部分のテープ幅はオーバーラップ印刷をするとテープ幅２４（mm）で印刷可能最大文字サイズは５５（pt）であることを示している。更に、図１２では、印刷可能な複数個の文字サイズの中から所望の文字サイズとして４８（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
【００４３】
次に、Ｓ１０に進み、キーボード３から文字及び記号等をテキストメモリ５４ａにテキスト入力し、入力が完了するとＳ１８に進む。Ｓ１８では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ１０でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図１３に図１２で設定した内容に基づいて作成されたラベル用テープ３５の一例を示す。図１３は、テープ幅２４（mm）のラベル用テープ３５であって文字が粘着基材スリット１７ｃを跨いで印刷されている例を説明する説明図である。図１３に示すように、粘着基材スリット１７ｃでテープ幅１２（mm）ずつ２枚の印刷テープに分割されるテープ幅２４（mm）の分割印刷テープ２１に対して文字サイズ４８（pt）の文字がテープ幅１２（mm）ずつで並列する印刷テープに対してオーバーラップして印刷されている。このラベル用テープ３５は、粘着基材スリット１７ｃで引き裂かれることなく使用できるので、対象物に貼り付けるときに貼りずれを起こす問題がない。一つの分割印刷テープ２２でテープ幅２４（mm）と、後述するテープ幅１２（mm）のラベル用テープ３５が作成できるので多種類のテープ幅のテープカセットを持つ必要がないので経済的である。
【００４４】
Ｓ７に戻って、オーバーラップして印刷しない場合は（Ｓ７：ＮＯ）、Ｓ１１に進に進む。Ｓ１１からは、テープ幅２４（mm）の分割印刷テープ２２又は分割印刷テープクミ４６から、テープ幅１２（mm）のラベル用テープが上段、下段と並列して２枚作成されるステップに入る。Ｓ１１では、テープカセット収納部８にセットされているテープカセットのテープの種類とテープ幅及びそのテープ幅に印刷可能な複数個の文字サイズがＬＣＤ５に表示される。次に、ＬＣＤ５に表示されている内容が所望する分割テープカセット２１又は４５であればＳ１２に進み、作成されるラベル用テープの上段列、下段列を意味するアイコン６８がＬＣＤ５に表示されているので、キーボード３のカーソル移動キー３ｂを操作してそれぞれの列を選択し、Ｓ１１で表示された印刷可能な複数個の文字サイズの中から、キーボード３のカーソル移動キー３ｂを使用して、操作者が所望する文字サイズに表示されているブラックカーソル６６を移動させ、Enterキー３ａで決定する。この操作によって、作成されるラベル用テープの上段列、下段列のそれぞれの文字サイズが決定される。
図１４に、テープカセット収納部８にセットされているテープカセットのテープの種類とテープ幅及びそのテープ幅に印刷可能な複数個の文字サイズがＬＣＤ５に表示された一例を示す。図１４は、テープカセット収納部８にセットされたテープカセットの内容表示と文字サイズの選択表示をＬＣＤ５に表示された状態を説明する説明図である。図１４によれば、テープカセット収納部８にセットされたテープカセットは、テープ幅２４（mm）のラミネートタイプの分割印刷テープ２２を内蔵する分割テープカセット２１であり、テープの色は白、文字の色は黒であり、印刷部分のテープ幅はオーバーラップ印刷をしなければテープ幅１２（mm）であり、印刷可能最大文字サイズ２８（pt）の文字が印刷できるラベル用テープが上段、下段と並列して２枚作成できることを示している。更に、図１２では、印刷可能な複数個の文字サイズの中から所望の文字サイズとして上下段列とも２８（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
【００４５】
次に、Ｓ１３に進み、テープ幅２４（mm）の分割印刷テープ２２又は分割印刷テープクミ４６から、上段、下段と並列して作成されるテープ幅１２（mm）のラベル用テープに、上下段列とも同一文字を印刷するか否かを判断する。上下段列とも同一文字を印刷する場合は（Ｓ１３：ＹＥＳ）、Ｓ１６に進み、テキストメモリ５４ａの上段列である１枚目の印刷テープに相当する部分にキーボード３から文字及び記号等をテキスト入力してＳ１７に進む。Ｓ１７では、テキストメモリ５４ａの下段列である２枚目の印刷テープに相当する部分に、テキストメモリ５４ａから１枚目の印刷テープに相当するメモリ部分をコピーし、コピーが完了するとＳ１８に進む。Ｓ１８では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ１６、Ｓ１７でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図１５に図１４で設定した内容に基づいて作成されたラベル用テープ３５の一例を示す。図１５は、テープ幅２４（mm）のラベル用テープ３５であって並列する印刷テープにそれぞれ同一文字が印刷されている例を説明する説明図である。図１５に示すように、粘着基材スリット１７ｃでテープ幅１２（mm）ずつ２枚の印刷テープに分割されるテープ幅２４（mm）の分割印刷テープ２１に対して文字サイズ２８（pt）の文字がテープ幅１２（mm）ずつで並列する印刷テープに対してそれぞれ印刷されている。このラベル用テープ３５は、粘着基材スリット１７ｃの部分で分割印刷テープ２２が易引裂性を有するために、鋏等の道具を使用することなしに簡単に手で引き裂かれて使用される。一度の操作で倍のテープを作成することができる。一つの分割印刷テープ２２で前述のテープ幅２４（mm）とテープ幅１２（mm）のラベル用テープ３５が作成できるので多種類のテープ幅のテープカセットを持つ必要がないので経済的である。
【００４６】
Ｓ１３に戻って、上下段列とも同一文字を印刷しない場合は（Ｓ１３：ＮＯ）、Ｓ１４に進み、テキストメモリ５４ａの上段列である１枚目の印刷テープに相当する部分にキーボード３から文字及び記号等をテキスト入力してＳ１５に進む。Ｓ１５では、テキストメモリ５４ａの下段列である２枚目の印刷テープに相当する部分にキーボード３から文字及び記号等をテキスト入力してＳ１８に進む。Ｓ１８では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ１４、Ｓ１５でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図１６に図１４で設定した内容に基づいて作成されたラベル用テープ３５の一例を示す。図１６は、テープ幅２４（mm）のラベル用テープ３５であって並列する印刷テープにそれぞれ異なる文字が印刷されている例を説明する説明図である。図１６に示すように、粘着基材スリット１７ｃでテープ幅１２（mm）ずつ２枚の印刷テープに分割されるテープ幅２４（mm）の分割印刷テープ２１に対して文字サイズ２８（pt）の文字がテープ幅１２（mm）ずつで並列する印刷テープに対してそれぞれ印刷されている。このラベル用テープ３５は、粘着基材スリット１７ｃの部分で分割印刷テープ２２が易引裂性を有するために、鋏等の道具を使用することなしに簡単に手で引き裂かれて使用される。一度の操作で倍のテープを作成することができる。一つの分割印刷テープ２２で前述のテープ幅２４（mm）とテープ幅１２（mm）のラベル用テープ３５が作成できるので多種類のテープ幅のテープカセットを持つ必要がないので経済的である。
【００４７】
Ｓ６に戻って、分割テープカセット２１又は４５の分割印刷テープ２２又は分割印刷テープクミ４６のテープ幅が２４（mm）でない場合は（Ｓ６：ＮＯ）、図８の分割テープカセットの前提条件表６５からテープ幅が３６（mm）であることが分かり、図９のＳ３１に進む。Ｓ３１では、分割テープカセット２１又は４５の分割印刷テープ２２又は分割印刷テープクミ４６のテープ幅が３６（mm）であることを確認してＳ３２に進む。
【００４８】
Ｓ３２では、分割テープカセット２１又は４５の分割印刷テープ２２又は分割印刷テープクミ４６に、分割するための粘着基材スリット１７ｃが２本あるか確認する。分割するための粘着基材スリット１７ｃが２本ない場合は（Ｓ３２：ＮＯ）、図８の分割テープカセットの前提条件表６５から粘着基材スリット１７ｃが１本だけであるということが分かり、Ｓ３３に進んで、分割テープカセット２１又は４５の分割印刷テープ２２又は分割印刷テープクミ４６に、分割するための粘着基材スリット１７ｃが１本だけであり、この粘着基材スリット１７ｃによってテープ幅３６（mm）の作成されたラベル用テープ３５又は４９を分割して新たなテープ幅１８（mm）のラベル用テープが２本作成できることが分かり、Ｓ３４に進む。
【００４９】
次に、Ｓ３４では、分割印刷テープ２２又は分割印刷テープクミ４６の並び合うテープにオーバーラップしてキーボード３から入力する文字及び記号等を印刷するか否かを確認する。オーバーラップして印刷する場合は（Ｓ３４：ＹＥＳ）、Ｓ３５に進に進む。
【００５０】
Ｓ３５からは、分割印刷テープ２２又は分割印刷テープクミ４６のテープ幅が３６（mm）のラベル用テープ３５又は４９を作成するステップに入る。Ｓ３５では、テープカセット収納部８にセットされているテープカセットのテープの種類とテープ幅及びそのテープ幅に印刷可能な複数個の文字サイズがＬＣＤ５に表示される。次に、ＬＣＤ５に表示されている内容が所望する分割テープカセット２１又は４５であればＳ３６に進み、Ｓ３５で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
図１７に、テープカセット収納部８にセットされているテープカセットのテープの種類とテープ幅及びそのテープ幅に印刷可能な複数個の文字サイズがＬＣＤ５に表示された一例を示す。図１７は、テープカセット収納部８にセットされたテープカセットの内容表示と文字サイズの選択表示をＬＣＤ５に表示された状態を説明する説明図である。図１７によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、印刷部分のテープ幅はオーバーラップ印刷をするとテープ幅３６（mm）で印刷可能最大文字サイズは８５（pt）であることを示している。更に、図１７では、印刷可能な複数個の文字サイズの中から所望の文字サイズとして８５（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
【００５１】
次に、Ｓ３７に進み、キーボード３から文字及び記号等をテキストメモリ５４ａにテキスト入力し、入力が完了するとＳ４５に進む。Ｓ４５では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ３７でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図１８に図１７で設定した内容に基づいて作成されたラベル用テープ３５の一例を示す。図１８は、テープ幅３６（mm）のラベル用テープ３５であって文字が粘着基材スリット１７ｃを跨いで印刷されている例を説明する説明図である。図１８に示すように、粘着基材スリット１７ｃでテープ幅１８（mm）ずつ２枚の印刷テープに分割されるテープ幅３６（mm）の分割印刷テープ２１に対して文字サイズ８５（pt）の文字がテープ幅１８（mm）ずつで並列する印刷テープに対してオーバーラップして印刷されている。このラベル用テープ３５は、粘着基材スリット１７ｃで引き裂かれることなく使用できるので、対象物に貼り付けるときに貼りずれを起こす問題がない。この一つの分割印刷テープ２２でテープ幅３６（mm）と後述するテープ幅１８（mm）のラベル用テープ３５が作成できるので多種類のテープ幅のテープカセットを持つ必要がないので経済的である。
【００５２】
Ｓ３４に戻って、オーバーラップして印刷しない場合は（Ｓ３４：ＮＯ）、Ｓ３８に進に進む。Ｓ３８からは、テープ幅３６（mm）の分割印刷テープ２２又は分割印刷テープクミ４６から、テープ幅１８（mm）のラベル用テープが上段、下段と並列して２枚作成されるステップに入る。Ｓ３８では、テープカセット収納部８にセットされているテープカセットのテープの種類とテープ幅及びそのテープ幅に印刷可能な複数個の文字サイズがＬＣＤ５に表示される。次に、ＬＣＤ５に表示されている内容が所望する分割テープカセット２１又は４５であればＳ３９に進み、作成されるラベル用テープの上段列、下段列を意味するアイコン６８がＬＣＤ５に表示されているので、キーボード３のカーソル移動キー３ｂを操作してそれぞれの列を選択し、Ｓ３８で表示された印刷可能な複数個の文字サイズの中から、キーボード３のカーソル移動キー３ｂを使用して、操作者が所望する文字サイズに表示されているブラックカーソル６６を移動させ、Enterキー３ａで決定する。この操作によって、作成されるラベル用テープの上段列、下段列のそれぞれの文字サイズが決定される。
図１９に、テープカセット収納部８にセットされているテープカセットのテープの種類とテープ幅及びそのテープ幅に印刷可能な複数個の文字サイズがＬＣＤ５に表示された一例を示す。図１９は、テープカセット収納部８にセットされたテープカセットの内容表示と文字サイズの選択表示をＬＣＤ５に表示された状態を説明する説明図である。図１９によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、印刷部分のテープ幅はオーバーラップ印刷をしなければテープ幅１８（mm）であり、印刷可能最大文字サイズ４２（pt）の文字が印刷できるラベル用テープが上段、下段と並列して２枚作成できることを示している。更に、図１９では、印刷可能な複数個の文字サイズの中から所望の文字サイズとして上下段列とも４２（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
【００５３】
次に、Ｓ４０に進み、テープ幅３６（mm）の分割印刷テープ２２又は分割印刷テープクミ４６から、上段、下段と並列して２枚作成されるテープ幅１８（mm）のラベル用テープに、上下段列とも同一文字を印刷するか判断する。上下段列とも同一文字を印刷する場合は（Ｓ４０：ＹＥＳ）、Ｓ４３に進み、テキストメモリ５４ａの上段列である１枚目の印刷テープに相当する部分にキーボード３から文字及び記号等をテキスト入力してＳ４４に進む。Ｓ４４では、テキストメモリ５４ａの下段列である２枚目の印刷テープに相当する部分に、テキストメモリ５４ａから１枚目の印刷テープに相当するメモリ部分をコピーし、コピーが完了するとＳ４５に進む。Ｓ４５では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ４３、Ｓ４４でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図２０に図１９で設定した内容に基づいて作成されたラベル用テープ３５の一例を示す。図２０は、テープ幅３６（mm）のラベル用テープ３５であって並列する印刷テープにそれぞれ同一文字が印刷されている例を説明する説明図である。図２０に示すように、粘着基材スリット１７ｃでテープ幅１８（mm）ずつ２枚の印刷テープに分割されるテープ幅３６（mm）の分割印刷テープ２１に対して文字サイズ４２（pt）の文字がテープ幅１８（mm）ずつで２枚並列する印刷テープに対してそれぞれ印刷されている。このラベル用テープ３５は、粘着基材スリット１７ｃの部分で分割印刷テープ２２が易引裂性を有するために、鋏等の道具を使用することなしに簡単に手で引き裂かれて使用される。このように、一度の操作で倍のテープを作成することができるので同一のテープを大量に作成する作業に適している。また、一つの分割印刷テープ２２で前述のテープ幅２４（mm）とテープ幅１２（mm）のラベル用テープ３５が作成できるので多種類のテープ幅のテープカセットを持つ必要がないので経済的である。
【００５４】
Ｓ４０に戻って、上下段列とも同一文字を印刷しない場合は（Ｓ４０：ＮＯ）、Ｓ４１に進み、テキストメモリ５４ａの上段列である１枚目の印刷テープに相当する部分にキーボード３から文字及び記号等をテキスト入力してＳ４２に進む。Ｓ４２では、テキストメモリ５４ａの下段列である２枚目の印刷テープに相当する部分にキーボード３から文字及び記号等をテキスト入力してＳ４５に進む。Ｓ４５では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ４１、Ｓ４２でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図２１に図１９で設定した内容に基づいて作成されたラベル用テープ３５の一例を示す。図２１は、テープ幅３６（mm）のラベル用テープ３５であって並列する印刷テープにそれぞれ異なる文字が印刷されている例を説明する説明図である。図２１に示すように、粘着基材スリット１７ｃでテープ幅１８（mm）ずつ２枚の印刷テープに分割されるテープ幅３６（mm）の分割印刷テープ２１に対して文字サイズ４２（pt）の文字がテープ幅１８（mm）ずつで並列する印刷テープに対してそれぞれ印刷されている。このラベル用テープ３５は、粘着基材スリット１７ｃの部分で分割印刷テープ２２が易引裂性を有するために、鋏等の道具を使用することなしに簡単に手で引き裂かれて使用される。このように、一度の操作で倍のテープを作成することができる。そして、一つの分割印刷テープ２２で前述のテープ幅３６（mm）とテープ幅１８（mm）のラベル用テープ３５が作成できるので多種類のテープ幅のテープカセットを持つ必要がないので経済的である。
【００５５】
Ｓ３２に戻って、分割するための粘着基材スリット１７ｃが２本ある場合は（Ｓ３２：ＹＥＳ）、図１０のＳ６１に進む。分割するための粘着基材スリット１７ｃが２本あるということは、テープ幅３６（mm）の分割印刷テープ２２又は分割印刷テープクミ４６に対して、テープ幅１２（mm）のラベル用テープが上段列、中段列、下段列と並列して３枚作成可能となる。そこでＳ６１では、分割印刷テープ２２又は分割印刷テープクミ４６の上中下段と並び合うテープにオーバーラップしてキーボード３から入力する文字及び記号等を印刷するか否かを確認する。オーバーラップして印刷しない場合は（Ｓ６１：ＮＯ）、Ｓ６２に進に進む。Ｓ６２からは、テープ幅３６（mm）の分割印刷テープ２２又は分割印刷テープクミ４６から、テープ幅１２（mm）のラベル用テープが上段、中段、下段と並列して３枚作成されるステップに入る。Ｓ６２では、テープカセット収納部８にセットされているテープカセットのテープの種類とテープ幅及びそのテープ幅に印刷可能な複数個の文字サイズがＬＣＤ５に表示される。次に、ＬＣＤ５に表示されている内容が所望する分割テープカセット２１又は４５であればＳ６３に進み、作成されるラベル用テープの上段列、中段列、下段列を意味するアイコン６８がＬＣＤ５に表示されているので、キーボード３のカーソル移動キー３ｂを操作してそれぞれの列を選択し、Ｓ６２で表示された印刷可能な複数個の文字サイズの中から、キーボード３のカーソル移動キー３ｂを使用して、操作者が所望する文字サイズに表示されているブラックカーソル６６を移動させ、Enterキー３ａで決定する。この操作によって、作成されるラベル用テープの上段列、中段列、下段列のそれぞれの文字サイズが決定される。
図２２に、テープカセット収納部８にセットされているテープカセットのテープの種類とテープ幅及びそのテープ幅に印刷可能な複数個の文字サイズがＬＣＤ５に表示された一例を示す。図２２は、テープカセット収納部８にセットされたテープカセットの内容表示と文字サイズの選択表示をＬＣＤ５に表示された状態を説明する説明図である。図２２によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、印刷部分のテープ幅はオーバーラップ印刷をしなければテープ幅１２（mm）であり、印刷可能最大文字サイズ２８（pt）の文字が印刷できるラベル用テープが上段、中段、下段と並列して３枚作成できることを示している。更に、図２２では、印刷可能な複数個の文字サイズの中から所望の文字サイズとして上中下段列とも２８（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
【００５６】
次に、Ｓ６４に進み、テープ幅３６（mm）の分割印刷テープ２２又は分割印刷テープクミ４６から、上段、中段、下段と並列して３枚作成されるテープ幅１２（mm）のラベル用テープに、上中下段列とも同一文字を印刷するか判断する。上中下段列とも同一文字を印刷する場合は（Ｓ６４：ＹＥＳ）、Ｓ６８に進み、テキストメモリ５４ａの上段列である１枚目の印刷テープに相当する部分にキーボード３から文字及び記号等をテキスト入力してＳ６９に進む。Ｓ６９では、テキストメモリ５４ａの中段列である２枚目の印刷テープに相当する部分に、テキストメモリ５４ａから１枚目の印刷テープに相当するメモリ部分をコピーし、コピーが完了するとＳ７０に進む。Ｓ７０では、テキストメモリ５４ａの下段列である３枚目の印刷テープに相当する部分に、テキストメモリ５４ａから１枚目の印刷テープに相当するメモリ部分をコピーし、コピーが完了するとＳ７１に進む。Ｓ７１では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ６８、Ｓ６９、Ｓ７０でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図２３に図２２で設定した内容に基づいて作成されたラベル用テープ３５の一例を示す。図２３は、テープ幅３６（mm）のラベル用テープ３５であって上中下と並列する印刷テープにそれぞれ同一文字が印刷されている例を説明する説明図である。図２３に示すように、２本の粘着基材スリット１７ｃでテープ幅１２（mm）ずつ３枚の印刷テープに分割されるテープ幅３６（mm）の分割印刷テープ２１に対して、文字サイズ２８（pt）の文字がテープ幅１２（mm）ずつで上中下と３枚並列する印刷テープに対してそれぞれ印刷されている。このラベル用テープ３５は、粘着基材スリット１７ｃの部分で分割印刷テープ２２が易引裂性を有するために、鋏等の道具を使用することなしに簡単に手で引き裂かれて使用される。このように、一度の操作で３倍のテープを作成することができるので多数の同一のテープを作成するのに特に有効である。また、一つの分割印刷テープ２２で前述のテープ幅３６（mm）と後述するテープ幅２４（mm）とこのテープ幅１２（mm）のラベル用テープ３５が作成できるので多種類のテープ幅のテープカセットを持つ必要がないので経済的である。
【００５７】
Ｓ６４に戻って、上中下段列とも同一文字を印刷しない場合は（Ｓ６４：ＮＯ）、Ｓ６５に進み、テキストメモリ５４ａの上段列である１枚目の印刷テープに相当する部分にキーボード３から文字及び記号等をテキスト入力してＳ６６に進む。Ｓ６６では、テキストメモリ５４ａの中段列である２枚目の印刷テープに相当する部分にキーボード３から文字及び記号等をテキスト入力してＳ６７に進む、Ｓ６７では、テキストメモリ５４ａの下段列である３枚目の印刷テープに相当する部分にキーボード３から文字及び記号等をテキスト入力してＳ７１に進む。Ｓ７１では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ６５、Ｓ６６、Ｓ６７でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図２４に図２２で設定した内容に基づいて作成されたラベル用テープ３５の一例を示す。図２４は、テープ幅３６（mm）のラベル用テープ３５であって上中下と並列する印刷テープにそれぞれ異なる文字が印刷されている例を説明する説明図である。図２４に示すように、２本の粘着基材スリット１７ｃでテープ幅１２（mm）ずつ３枚の印刷テープに分割されるテープ幅３６（mm）の分割印刷テープ２１に対して、文字サイズ２８（pt）の文字がテープ幅１２（mm）ずつで上中下と３枚並列する印刷テープに対してそれぞれ印刷されている。このラベル用テープ３５は、粘着基材スリット１７ｃの部分で分割印刷テープ２２が易引裂性を有するために、鋏等の道具を使用することなしに簡単に手で引き裂かれて使用される。このように、一度の操作で３倍のテープを作成することができる。そして、一つの分割印刷テープ２２で前述のテープ幅３６（mm）と後述するテープ幅２４（mm）とこのテープ幅１２（mm）のラベル用テープ３５が作成できるので多種類のテープ幅のテープカセットを持つ必要がないので経済的である。
【００５８】
Ｓ６１に戻って、オーバーラップして印刷する場合は（Ｓ６１：ＹＥＳ）、図１１のＳ９１に進む。Ｓ９１では、分割印刷テープ２２又は分割印刷テープクミ４６の上中下段と３枚が並び合うテープにオーバーラップしてキーボード３から入力する文字及び記号等を印刷するか否かを確認する。上中下段の３枚をオーバーラップして印刷する場合は（Ｓ９１：ＹＥＳ）、Ｓ９２に進に進む。
【００５９】
Ｓ９２からは、分割印刷テープ２２又は分割印刷テープクミ４６の２本の粘着基材スリット１７ｃを有するテープ幅が３６（mm）のラベル用テープ３５又は４９を作成するステップに入る。Ｓ９２では、テープカセット収納部８にセットされているテープカセットのテープの種類とテープ幅及びそのテープ幅に印刷可能な複数個の文字サイズがＬＣＤ５に表示される（図１７と同様の表示になるので図１７を参照）。次に、ＬＣＤ５に表示されている内容が所望する分割テープカセット２１又は４５であればＳ９３に進み、Ｓ９２で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
一方、所望するテープカセットでなければ、テープカセットを所望する分割テープカセット２１又は４５と交換する。
【００６０】
次に、Ｓ９４に進み、キーボード３から文字及び記号等をテキストメモリ５４ａにテキスト入力し、入力が完了するとＳ１０９に進む。Ｓ１０９では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ９４でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図２５に図１７で設定した内容に基づいて作成されたラベル用テープ３５の一例を示す。図２５は、テープ幅３６（mm）のラベル用テープ３５であって文字が２本の粘着基材スリット１７ｃを跨いで印刷されている例を説明する説明図である。図２５に示すように、２本の粘着基材スリット１７ｃでテープ幅１２（mm）ずつ３枚の印刷テープに分割されるテープ幅３６（mm）の分割印刷テープ２１に対して、文字サイズ８５（pt）の文字がテープ幅１２（mm）ずつで３枚が並列する印刷テープに対してその３枚にオーバーラップして印刷されている。このラベル用テープ３５は、粘着基材スリット１７ｃで引き裂かれることなく使用できるので、対象物に貼り付けるときに貼りずれを起こす問題がない。この一つの分割印刷テープ２２でテープ幅３６（mm）と後述するテープ幅２４（mm）及びテープ幅１２（mm）のラベル用テープ３５が作成できるので多種類のテープ幅のテープカセットを持つ必要がないので経済的である。
【００６１】
Ｓ９１に戻って、上中下段の３枚をオーバーラップして印刷しない場合は（Ｓ９１：ＮＯ）、Ｓ９５に進に進む。印刷後２本の粘着基材スリット１７ｃでテープ幅１２（mm）ずつの３枚のラベル用テープに分割されるテープ幅３６（mm）の分割印刷テープ２２又は分割印刷テープクミ４６は、その組み合わせによって、テープ幅２４（mm）のラベル用テープを作成することも可能である。そのため、上２枚のオーバーラップ印刷と下１枚の印刷をするか確認する。上２枚のオーバーラップ印刷と下１枚の印刷をする場合は（Ｓ９５：ＹＥＳ）、Ｓ９６に進み、分割印刷テープ２２又は分割印刷テープクミ４６の上段列、中段列の２枚を使用してテープ幅２４（mm）のラベル用テープと下段列の1枚を使用してテープ幅１２（mm）のラベル用テープを作成するステップに入る。Ｓ９６では、テープカセット収納部８にセットされているテープカセットのテープの種類と上２枚の合計テープ幅及びそのテープ幅に印刷可能な複数個の文字サイズがＬＣＤ５に表示される。次に、ＬＣＤ５に表示されている内容が所望する分割テープカセット２１又は４５であればＳ９７に進み、Ｓ９６で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
図２６に、テープカセット収納部８にセットされているテープカセットのテープの種類とテープ幅及びそのテープ幅に印刷可能な複数個の文字サイズがＬＣＤ５に表示された一例を示す。図２６は、テープカセット収納部８にセットされたテープカセットの内容表示と文字サイズの選択表示をＬＣＤ５に表示された状態を説明する説明図である。図２６によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、上２枚の印刷部分のテープ幅はオーバーラップ印刷をするとテープ幅２４（mm）であり、その印刷可能最大文字サイズは５５（pt）であることを示している。更に、図２６では、印刷可能な複数個の文字サイズの中から所望の文字サイズとして４８（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
次に、Ｓ９８に進み、キーボード３から文字及び記号等を印刷テープの上２枚用のテキストメモリ５４ａにテキスト入力し、入力が完了するとＳ９９に進む。
【００６２】
次に、Ｓ９９では、テープカセット収納部８にセットされているテープカセットのテープの種類と下1枚のテープ幅及びそのテープ幅に印刷可能な複数個の文字サイズがＬＣＤ５に表示される。次に、ＬＣＤ５に表示されている内容が所望する分割テープカセット２１又は４５であればＳ１００に進み、Ｓ９９で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
図２７に、テープカセット収納部８にセットされているテープカセットのテープの種類とテープ幅及びそのテープ幅に印刷可能な複数個の文字サイズがＬＣＤ５に表示された一例を示す。図２７は、テープカセット収納部８にセットされたテープカセットの内容表示と文字サイズの選択表示をＬＣＤ５に表示された状態を説明する説明図である。図２７によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、下１枚の印刷部分のテープ幅は１２（mm）であり、その印刷可能最大文字サイズは２８（pt）であることを示している。更に、図２７では、印刷可能な複数個の文字サイズの中から所望の文字サイズとして２４（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
次に、Ｓ１０１に進み、キーボード３から文字及び記号等を印刷テープの下1枚用のテキストメモリ５４ａにテキスト入力し、入力が完了するとＳ１０９に進む。
【００６３】
次に、Ｓ１０９では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ９８、Ｓ１０１でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図２８に図２６、図２７で設定した内容に基づいて作成されたラベル用テープ３５の一例を示す。図２８は、テープ幅３６（mm）のラベル用テープ３５であって、分割印刷テープの上２枚に文字が１本の粘着基材スリット１７ｃを跨いで印刷され、更に下1枚に文字が印刷されている例を説明する説明図である。図２８に示すように、２本の粘着基材スリット１７ｃでテープ幅１２（mm）ずつ３枚の印刷テープに分割されるテープ幅３６（mm）の分割印刷テープ２１に対して文字サイズ５５（pt）の文字がテープ幅１２（mm）ずつで並列する上段列、中段列の２枚の印刷テープに対してオーバーラップして印刷されている。そして、文字サイズ２８（pt）の文字がテープ幅１２（mm）の下段列の印刷テープに対して印刷されている。この完成したラベル用テープ３５は、中段列と下段列の間の粘着基材スリット１７ｃの部分で分割印刷テープ２２が易引裂性を有するために、鋏等の道具を使用することなしに簡単に手で引き裂くだけで使用できる。そこで、このラベル用テープ３５は、貼り付ける対象が大小でペアである対象物に対して利用できる。
【００６４】
Ｓ９５に戻って、上２枚のオーバーラップ印刷と下１枚の印刷をしない場合は（Ｓ９５：ＮＯ）、Ｓ１０２に進み、分割印刷テープ２２又は分割印刷テープクミ４６の中段列、下段列の２枚を使用してテープ幅２４（mm）のラベル用テープと上段列の1枚を使用してテープ幅１２（mm）のラベル用テープを作成するステップに入りＳ１０３に進む。Ｓ１０３では、テープカセット収納部８にセットされているテープカセットのテープの種類と下２枚の合計テープ幅及びそのテープ幅に印刷可能な複数個の文字サイズがＬＣＤ５に表示される。次に、ＬＣＤ５に表示されている内容が所望する分割テープカセット２１又は４５であればＳ１０４に進み、Ｓ１０３で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
図２９に、テープカセット収納部８にセットされているテープカセットのテープの種類とテープ幅及びそのテープ幅に印刷可能な複数個の文字サイズがＬＣＤ５に表示された一例を示す。図２９は、テープカセット収納部８にセットされたテープカセットの内容表示と文字サイズの選択表示をＬＣＤ５に表示された状態を説明する説明図である。図２９によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、上１枚の印刷部分のテープ幅は１２（mm）であり、その印刷可能最大文字サイズは２８（pt）であることを示している。更に、図２９では、印刷可能な複数個の文字サイズの中から所望の文字サイズとして２８（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
次に、Ｓ１０５に進み、キーボード３から文字及び記号等を印刷テープの上１枚用のテキストメモリ５４ａにテキスト入力し、入力が完了するとＳ１０６に進む。
【００６５】
次に、Ｓ１０６では、テープカセット収納部８にセットされているテープカセットのテープの種類と下２枚の合計テープ幅及びそのテープ幅に印刷可能な複数個の文字サイズがＬＣＤ５に表示される。次に、ＬＣＤ５に表示されている内容が所望する分割テープカセット２１又は４５であればＳ１０７に進み、Ｓ１０６で表示された印刷可能な複数個の文字サイズの中から、キーボード３のカーソル移動キー３ｂを使用して、操作者が所望する文字サイズにＬＣＤ５に表示されているブラックカーソル６６を移動させ、Enterキー３ａで決定する。
図３０に、テープカセット収納部８にセットされているテープカセットのテープの種類とテープ幅及びそのテープ幅に印刷可能な複数個の文字サイズがＬＣＤ５に表示された一例を示す。図３０は、テープカセット収納部８にセットされたテープカセットの内容表示と文字サイズの選択表示をＬＣＤ５に表示された状態を説明する説明図である。図３０によれば、テープカセット収納部８にセットされたテープカセットは、テープ幅３６（mm）のラミネートタイプの分割印刷テープ２２を内蔵する分割テープカセット２１であり、テープの色は白、文字の色は黒であり、下２枚の印刷部分のテープ幅はオーバーラップ印刷をするとテープ幅２４（mm）であり、その印刷可能最大文字サイズは５５（pt）であることを示している。更に、図３０では、印刷可能な複数個の文字サイズの中から所望の文字サイズとして５５（pt）が選択されている。また、隠し文字有り記号６７で示されるように、小さい文字サイズも隠されているのでキーボード３のカーソル移動キー３ｂを使用してもっと小さな文字サイズを選択することも可能である。
一方、所望するテープカセットでなければ、テープカセットを所望する分割テープカセット２１又は４５と交換する。
次に、Ｓ１０８に進み、キーボード３から文字及び記号等を印刷テープの下２枚用のテキストメモリ５４ａにテキスト入力し、入力が完了するとＳ１０９に進む。
【００６６】
次に、Ｓ１０９では、キーボード３の印刷キー３ｃを押下することにより印刷駆動プログラム５３ｂが稼働し、駆動回路６０、６１を介してサーマルヘッド１１及びテープ送りモータ３６が動作することによって、分割テープカセット２１又は４５の分割印刷テープ２２又は分割印刷テープクミ４６にＳ１０５、Ｓ１０８でテキストメモリ５４ａに格納されている文字及び記号等のデータがテキストメモリ５４ａから呼び出されて印刷される。そして、印刷された印刷テープがカッター釦７を押下することによってカットされラベル用テープ３５又は４９が完成する。
図３１に図２９、図３０で設定した内容に基づいて作成されたラベル用テープ３５の一例を示す。図３１は、テープ幅３６（mm）のラベル用テープ３５であって、分割印刷テープの上1枚に文字が印刷され、更に、下２枚に文字が１本の粘着基材スリット１７ｃを跨いで印刷されている例を説明する説明図である。図３１に示すように、２本の粘着基材スリット１７ｃでテープ幅１２（mm）ずつ３枚の印刷テープに分割されるテープ幅３６（mm）の分割印刷テープ２１に対して文字サイズ２８（pt）の文字がテープ幅１２（mm）の上段列の印刷テープに対して印刷されている。そして、文字サイズ５５（pt）の文字がテープ幅１２（mm）ずつで並列する中段列、下段列の２枚の印刷テープに対してオーバーラップして印刷されている。この完成したラベル用テープ３５は、上段列と中段列の間の粘着基材スリット１７ｃの部分で分割印刷テープ２２が易引裂性を有するために、鋏等の道具を使用することなしに簡単に手で引き裂くだけで使用できる。そこで、このラベル用テープ３５は、貼り付ける対象が大小でペアである対象物に対して利用できる。
【００６７】
ここで、テープ種検出用穴２０、テープ種検出センサ３４、ＣＰＵ５０、ＲＯＭ５３、テープ種判別データ５３ｒ、ＲＡＭ５４は、種類判別手段を構成する。テープ種検出用穴２０、テープ種検出センサ３４、ＣＰＵ５０、ＲＯＭ５３、テープ種・テープ幅・印刷可能文字サイズ表示選択処理プログラム５３ｅ、テープ幅対印刷可能文字サイズデータ５３ｓ、テープ種判別データ５３ｒ、ＲＡＭ５４は、幅検出手段を構成する。テープ種検出用穴２０、テープ種検出センサ３４、ＣＰＵ５０、ＲＯＭ５３、テープ種・テープ幅・印刷可能文字サイズ表示選択処理プログラム５３ｅ、テープ幅対印刷可能文字サイズデータ５３ｓ、テープ種判別データ５３ｒ、ＲＡＭ５４は、スリット数検出手段を構成する。テープ種検出用穴２０、テープ種検出センサ３４、ＣＰＵ５０、ＲＯＭ５３、テープ種・テープ幅・印刷可能文字サイズ表示選択処理プログラム５３ｅ、フォントデータ５３ｐ、テープ幅対印刷可能文字サイズデータ５３ｓ、テープ種判別データ５３ｒ、ＲＡＭ５４は、検索手段を構成する。ＬＣＤ５、ＬＣＤＣ５８、ビデオＲＡＭ５９、表示用ＣＧＲＯＭ５１、表示駆動制御プログラム５３ａ、ＣＰＵ５０、ＲＯＭ５３、ＲＡＭ５４は、表示手段を構成する。サーマルヘッド１１、テープ送りモータ３６、駆動回路６０、６１、印刷用ＣＧＲＯＭ５２、印字駆動プログラム５３ｂ、分割テープ印刷処理プログラム５３ｃ、分割テープオーバーラップ印刷処理プログラム５３ｄ、ＣＰＵ５０、ＲＯＭ５３、ＲＡＭ５４は、印刷制御手段を構成する。
【００６８】
以上詳細に説明した通り、第１実施形態に係る印刷媒体３８は、分割印刷用テープ２２及び分割両面粘着テープ２４が予め接着された分割印刷用テープクミ４６からなり、分割印刷用テープ２２の表面にインク２３ａを付着させて文字や記号を印刷する印刷媒体３８であって、分割両面粘着テープ２４を構成する粘着基材１７には、分割両面粘着テープ２４の幅方向と直行する粘着基材スリット１７ｃを備え、分割印刷用テープ２２には、粘着基材１７の粘着基材スリット１７ｃと同一方向に引き裂かれる易引裂性を備えたことにより、分割印刷用テープ２２に粘着基材スリット１７ｃを境として粘着基材スリット１７ｃの両サイドに文字を印刷し、粘着基材スリット１７ｃと同一方向の易引裂性を利用して粘着基材１７の粘着基材スリット１７ｃ部分で引き裂いて印刷されたテープを作成することにより、１本の分割印刷用テープクミ４６から少なくとも２倍の印刷されたテープを作成することができる。また、分割印刷用テープ２２は、易引裂性を有しているので鋏等の道具を使うことなしに手動で簡単に引き裂くことができる。更に、分割両面粘着テープ２４を構成する粘着基材１７は、粘着基材１７に設けられた粘着基材スリット１７ｃ部分で分割印刷用テープ２２を確実に引き裂くための補強部材となり、粘着基材１７に設けられた粘着基材スリット１７ｃ部分以外で分割印刷用テープ２２が引き裂かれることを防止することができる。
一方、テープ幅全体を使用して文字等を印刷した場合には、分割印刷用テープ２２が一枚の分割印刷用テープ２２であるので切り離すことなくそのまま貼り付けることができる。それ故、スリットの入った印刷用テープ全体に文字等を印刷した後に、スリットでバラバラになったテープを貼り合わせたために印刷された文字がずれてしまうという問題を解決することができる。
この分割印刷用テープ２２は、１本の分割印刷用テープクミ４６から文字等の印刷された複数の異なるテープ幅のテープを作成することができるので、作成するテープ幅に合わせたテープにその都度交換するという煩わしさを無くすことができる。
【００６９】
また、印刷媒体３８は、分割印刷用テープ２２及び分割両面粘着テープ２４からなり、分割印刷用テープ２２の表面にインク２３ａを付着させて文字や記号を印刷した後にその印刷面と分割両面粘着テープ２４とが貼り合わされる印刷媒体３８であって、分割両面粘着テープ２４を構成する粘着基材１７には、分割両面粘着テープ２４の幅方向と直行する粘着基材スリット１７ｃを備え、分割印刷用テープ２２には、分割両面粘着テープ２４と貼り合わされた後に粘着基材１７の粘着基材スリット１７ｃと同一方向に引き裂かれる易引裂性を備えたことによる前述の効果に加え、分割印刷用テープ２２の表面にインク２３ａを付着させて文字や記号を印刷した後に、その印刷面と分割両面粘着テープ２４とを貼り合わせることによって印刷面の文字や記号が分割印刷用テープ２２自体で保護することになるので、使用中のこすれなどでインク２３ａが剥がれて判読できなくなるという問題を解決することができる。
【００７０】
また、印刷媒体３８は、分割印刷用テープ２２が、一軸延伸加工又は二軸延伸加工により易引裂性を備えた高分子フィルムであるので、延伸加工による易引裂性によって鋏等の道具を使用すること無く手動で直線的に引き裂いて区分けすることができる。また、印刷媒体３８は、分割印刷用テープ２２が、高分子フィルムであるので出来上がった質感がよい。更に、透明分割印刷用テープ２２とカラーの分割両面粘着テープ２４との組み合わせによって印刷媒体３８の色を自由に選択できる。
【００７１】
また、分割テープカセット２１又は４５は、印刷媒体３８を収納し、印刷媒体３８の形態に応じてテープ情報を形成したテープ種検出用穴２０を有するので、テープ作成装置１がそのテープ種検出用穴２０のテープ情報を読み取ることにより、収納されている印刷媒体３８の素性が分かり、操作者に文字等を印刷する前に収納されている印刷媒体３８の素性を知らせることによって、操作者に確認を取ることができる。そのため、印刷した後で操作者が所望する印刷媒体３８と異なることが分かり、操作を遣り直すという作業を防止することができる。また、テープ作成装置１が読み取ったテープ種検出用穴２０からのテープ情報に対応する予め決められた印刷条件に基づいて、テープ作成装置１は、印刷媒体３８に適切な印刷を行うことができる。
【００７２】
また、テープ作成装置１では、分割テープカセット２１又は４５を着脱可能なテープカセット収納部８と、分割テープカセット２１又は４５の種類を判別する、テープ種検出用穴２０、テープ種検出センサ３４、ＣＰＵ５０、ＲＯＭ５３、テープ種判別データ５３ｒ、ＲＡＭ５４等で構成される種類判別手段と、種類判別手段に基づく印刷媒体３８の幅を検出する、テープ種検出用穴２０、テープ種検出センサ３４、ＣＰＵ５０、ＲＯＭ５３、テープ種・テープ幅・印刷可能文字サイズ表示選択処理プログラム５３ｅ、テープ幅対印刷可能文字サイズデータ５３ｓ、テープ種判別データ５３ｒ、ＲＡＭ５４等で構成される幅検出手段と、種類判別手段に基づく印刷媒体３８の粘着基材スリット１７ｃの数を検出する、テープ種検出用穴２０、テープ種検出センサ３４、ＣＰＵ５０、ＲＯＭ５３、テープ種・テープ幅・印刷可能文字サイズ表示選択処理プログラム５３ｅ、テープ幅対印刷可能文字サイズデータ５３ｓ、テープ種判別データ５３ｒ、ＲＡＭ５４等で構成されるスリット数検出手段と、幅検出手段及びスリット数検出手段に基づいて、それぞれ区分けされる印刷媒体３８の幅に印刷可能な最大文字のポイント数を検索する、テープ種検出用穴２０、テープ種検出センサ３４、ＣＰＵ５０、ＲＯＭ５３、テープ種・テープ幅・印刷可能文字サイズ表示選択処理プログラム５３ｅ、フォントデータ５３ｐ、テープ幅対印刷可能文字サイズデータ５３ｓ、テープ種判別データ５３ｒ、ＲＡＭ５４等で構成される検索手段と、検索手段に基づいて検索された結果を表示する、ＬＣＤ５、ＬＣＤＣ５８、ビデオＲＡＭ５９、表示用ＣＧＲＯＭ５１、表示駆動制御プログラム５３ａ、ＣＰＵ５０、ＲＯＭ５３、ＲＡＭ５４等で構成される表示手段と、を備えたことにより、分割テープカセット２１又は４５をテープカセット収納部８に装着すると、分割テープカセット２１又は４５の種類、分割印刷用テープ２２及び分割両面粘着テープ２４又は分割印刷用テープ２２及び分割両面粘着テープ２４が予め接着された分割印刷用テープクミ４６からなる印刷媒体３８の区分けされる数、区分けされたそれぞれの印刷媒体３８の幅と印刷可能な最大文字のポイント数が表示手段に表示されるので、操作者は、印刷媒体３８に印刷するための文字等を入力する前に、入力に必要な情報を入手することができる。そのため、試し印刷をする必要がないので印刷媒体３８の無駄な消費を防止でき、余分な手間を省くことができる。
【００７３】
そして、テープ作成装置１では、テープ種検出用穴２０、テープ種検出センサ３４、ＣＰＵ５０、ＲＯＭ５３、テープ種・テープ幅・印刷可能文字サイズ表示選択処理プログラム５３ｅ、テープ幅対印刷可能文字サイズデータ５３ｓ、テープ種判別データ５３ｒ、ＲＡＭ５４等で構成される幅検出手段及びテープ種検出用穴２０、テープ種検出センサ３４、ＣＰＵ５０、ＲＯＭ５３、テープ種・テープ幅・印刷可能文字サイズ表示選択処理プログラム５３ｅ、テープ幅対印刷可能文字サイズデータ５３ｓ、テープ種判別データ５３ｒ、ＲＡＭ５４等で構成されるスリット数検出手段に基づいて、それぞれ区分けされる少なくとも二つ以上の印刷媒体３８に文字や記号をオーバーラップして印刷する、サーマルヘッド１１、テープ送りモータ３６、駆動回路６０、６１、印刷用ＣＧＲＯＭ５２、印字駆動プログラム５３ｂ、分割テープ印刷処理プログラム５３ｃ、分割テープオーバーラップ印刷処理プログラム５３ｄ、ＣＰＵ５０、ＲＯＭ５３、ＲＡＭ５４等で構成される印刷制御手段を備えたことにより、このテープ作成装置１に装着される分割印刷用テープ２２及び分割両面粘着テープ２４又は分割印刷用テープ２２及び分割両面粘着テープ２４が予め接着された分割印刷用テープクミ４６からなる１本の印刷媒体から、粘着基材スリット１７ｃで区分けされて文字等が印刷された最小単位の印刷媒体３８を作成したり、または、この最小単位の少なくとも印刷媒体３８の二つ分に渡って文字等を印刷した印刷媒体３８を作成したりという具合に、文字等の印刷された複数の異なる幅の印刷媒体３８を作成することができる。そのため、作成する印刷媒体３８の幅に合わせてその度に印刷媒体３８を交換するという煩わしさを無くすことができる。
【００７４】
次に、本発明を具体化した第２実施形態を図３２、図３３を参照して説明する。第１実施形態と同一機能のものは同じ符号を使用する。ここで、図３２は、分割印刷テープ２２に文字等を印刷し、分割両面粘着テープ２４を接着してラミネートタイプのラベル用テープ７２を作成する工程を説明する説明図である。この図３２に示すように、カバーフィルム３９が、分割印刷テープ２２の片面に接着されている。そして、カバーフィルム３９は、分割両面粘着テープ２４を構成する粘着基材１７の粘着基材スリット１７ｃと同一位置にあるカバーフィルムスリット３９ｃによって、分割カバーフィルム右３９ａと分割カバーフィルム左３９ｂに分割される。この点が第１実施形態のラベル用テープ３５と異なる。そして、印刷媒体３８は、カバーフィルム３９が接着されている分割印刷テープ２２と分割両面粘着テープ２４とで構成されている。更に、印刷媒体３８への印刷は、分割印刷テープ２２のカバーフィルム３９が接着された反対の面になされる。そのために、図３２に示す部材が、図３に示すラミネートタイプの分割テープカセット２１に収納されて図３２に示す工程を経てラベル用テープ７２が作成される。（詳細は図３、図４を参照）
次に、図３３は、分割印刷テープクミ７３に文字等を印刷し、テープ駆動ローラ３７と送りローラ１５との間を通過させてレセプタータイプのラベル用テープ７４を作成する工程を説明する説明図である。この図３３に示すように、カバーフィルム３９が、分割印刷テープ２２の上面に接着されている。そして、カバーフィルム３９は、分割両面粘着テープ２４を構成する粘着基材１７の粘着基材スリット１７ｃと同一位置にあるカバーフィルムスリット３９ｃによって、分割カバーフィルム右３９ａと分割カバーフィルム左３９ｂに分割される。この点が第１実施形態のラベル用テープ４９と異なる。また、印刷媒体３８は、カバーフィルム３９が接着されている分割印刷テープ２２と予め分割印刷テープ２２に接着されている分割両面粘着テープ２４とで構成されている。更に、印刷媒体３８への印刷は、分割印刷テープ２２に接着されたカバーフィルム３９の面になされる。そのために、図３３に示す部材が、図５に示すレセプタータイプの分割テープカセット４５に収納されて図３３に示す工程を経てラベル用テープ７４が作成される。（詳細は図５、図６を参照）
【００７５】
以上、説明した通り、第２実施形態に係る印刷媒体３８では、分割印刷テープ２２の上面に、分割両面粘着テープ２４を構成する粘着基材１７の粘着基材スリット１７ｃと同一位置にカバーフィルムスリット７１ｃを備えたカバーフィルム７１が接着されていることにより、分割両面粘着テープ２４を構成する粘着基材１７とカバーフィルム７１は、分割両面粘着テープ２４を構成する粘着基材１７とカバーフィルム７１に設けられたカバーフィルムスリット７１ｃ部分で分割印刷テープ２２を確実に引き裂くための補強部材となり、分割両面粘着テープ２４を構成する粘着基材１７とカバーフィルム７１に設けられた両方のスリット部分である粘着基材スリット１７ｃ及びカバーフィルムスリット７１ｃ以外で分割印刷テープ２２が引き裂かれることを防止することができる。
【００７６】
次に、本発明を具体化した第３実施形態を図３４、図３５を参照して説明する。第１実施形態及び第２実施形態と同一機能のものは同じ符号を使用する。ここで、図３４は、分割印刷テープ２２に文字等を印刷し、分割両面粘着テープ２４を接着してラミネートタイプのラベル用テープ７６を作成する工程を説明する説明図である。この図３４に示すように、分割印刷テープ２２の、分割両面粘着テープ２４を構成する粘着基材１７の粘着基材スリット１７ｃと同一位置に、分離補助孔列７５が穿孔されている。この点が第１実施形態及び第２実施形態で作成されるラベル用テープ３５及びラベル用テープ７２と異なる。そして、印刷媒体３８は、分離補助孔列７５が穿孔されている分割印刷テープ２２と分割両面粘着テープ２４とで構成されている。更に、印刷媒体３８への印刷は、分割印刷テープ２２の分割両面粘着テープ２４と接着される面になされる。そのために、図３４に示す部材が、図３に示すラミネートタイプの分割テープカセット２１に収納されて図３４に示す工程を経てラベル用テープ７６が作成される。（詳細は図３、図４を参照）
次に、図３５は、分割印刷テープクミ７７に文字等を印刷し、テープ駆動ローラ３７と送りローラ１５との間を通過させてレセプタータイプのラベル用テープ７８を作成する工程を説明する説明図である。この図３５に示すように、分割印刷テープ２２の、分割両面粘着テープ２４を構成する粘着基材１７の粘着基材スリット１７ｃと同一位置に、分離補助孔列７５が穿孔されている。この点が第１実施形態及び第２実施形態で作成されるラベル用テープ４９及びラベル用テープ７４と異なる。そして、印刷媒体３８は、分離補助孔列７５が穿孔されている分割印刷テープ２２と予め分割印刷テープ２２に接着されている分割両面粘着テープ２４とで構成されている。更に、印刷媒体３８への印刷は、分割印刷テープ２２の上面になされる。そのために、図３５に示す部材が、図５に示すレセプタータイプの分割テープカセット４５に収納されて図３５に示す工程を経てラベル用テープ７８が作成される。（詳細は図５、図６を参照）
【００７７】
以上、説明した通り、第３実施形態に係る印刷媒体３８では、分割印刷テープ２２に、分割両面粘着テープ２４を構成する粘着基材１７の粘着基材スリット１７ｃと同一位置に分離補助孔列７５が穿孔されていることにより、分割印刷テープ２２は、分割両面粘着テープ２４を構成する粘着基材１７の粘着基材スリット１７ｃと同一方向に易引裂性を備えているが、分割印刷テープ２２に分割両面粘着テープ２４を構成する粘着基材１７の粘着基材スリット１７ｃと同一位置に分離補助孔列７５を設けることによって、鋏等の道具を使用することなしに、分割印刷テープ２２を、分割両面粘着テープ２４を構成する粘着基材１７の粘着基材スリット１７ｃの位置で、より確実に引き裂くことができる。
【００７８】
尚、本発明は前記第１実施形態乃至第３実施形態に限定されることはなく、本発明の要旨を逸脱しない範囲内で種々の改良、変形が可能であることは勿論である。
【００７９】
例えば、図３６に示すように、図３２と図３４を合成すると易引裂性はより多く発揮できる。図３６は、分割印刷テープ２２に文字等を印刷し、分割両面粘着テープ２４を接着してラミネートタイプのラベル用テープ７９を作成する工程を説明する説明図である。
また、図３７に示すように、図３３と図３５を合成すると易引裂性はより多く発揮できる。図３７は、分割印刷テープクミ８０に文字等を印刷し、テープ駆動ローラ３７と送りローラ１５との間を通過させてレセプタータイプのラベル用テープ８１を作成する工程を説明する説明図である。
【図面の簡単な説明】
【００８０】
【図１】第１実施形態のテープ作成装置の外形斜視図である。
【図２】テープ作成装置のテープカセット収納部の収納カバーを開けた場合の斜視図である。
【図３】ラミネートタイプの分割テープカセットがテープ作成装置に装着された場合の分割テープカセットの上ケースを除いた要部を示す平面図である。
【図４】分割印刷テープに文字等を印刷し、分割両面粘着テープを接着してラミネートタイプのラベル用テープを作成する工程を説明する説明図である。
【図５】レセプタータイプの分割テープカセットがテープ作成装置に装着された場合の分割テープカセットの上ケースを除いた要部を示す平面図である。
【図６】分割印刷テープクミに文字等を印刷し、テープ駆動ローラと送りローラとの間を通過させてレセプタータイプのラベル用テープを作成する工程を説明する説明図である。
【図７】テープ作成装置の制御構成を示すブロック図である。
【図８】分割印刷テープに印刷処理を行ってラベル用テープを作成するフローチャートである。
【図９】分割印刷テープに印刷処理を行ってラベル用テープを作成するフローチャートである。
【図１０】分割印刷テープに印刷処理を行ってラベル用テープを作成するフローチャートである。
【図１１】分割印刷テープに印刷処理を行ってラベル用テープを作成するフローチャートである。
【図１２】テープカセット収納部にセットされたテープカセットの内容表示と文字サイズの選択表示をＬＣＤに表示された状態を説明する説明図である。
【図１３】テープ幅２４（mm）のラベル用テープであって文字がスリットを跨いで印刷されている例を説明する説明図である。
【図１４】テープカセット収納部にセットされたテープカセットの内容表示と文字サイズの選択表示をＬＣＤに表示された状態を説明する説明図である。
【図１５】テープ幅２４（mm）のラベル用テープであって並列する印刷テープにそれぞれ同一文字が印刷されている例を説明する説明図である。
【図１６】テープ幅２４（mm）のラベル用テープであって並列する印刷テープにそれぞれ異なる文字が印刷されている例を説明する説明図である。
【図１７】テープカセット収納部にセットされたテープカセットの内容表示と文字サイズの選択表示をＬＣＤに表示された状態を説明する説明図である。
【図１８】テープ幅３６（mm）のラベル用テープであって文字がスリットを跨いで印刷されている例を説明する説明図である。
【図１９】テープカセット収納部にセットされたテープカセットの内容表示と文字サイズの選択表示をＬＣＤに表示された状態を説明する説明図である。
【図２０】テープ幅３６（mm）のラベル用テープであって並列する印刷テープにそれぞれ同一文字が印刷されている例を説明する説明図である。
【図２１】テープ幅３６（mm）のラベル用テープであって並列する印刷テープにそれぞれ異なる文字が印刷されている例を説明する説明図である。
【図２２】テープカセット収納部にセットされたテープカセットの内容表示と文字サイズの選択表示をＬＣＤに表示された状態を説明する説明図である。
【図２３】テープ幅３６（mm）のラベル用テープであって上中下と並列する印刷テープにそれぞれ同一文字が印刷されている例を説明する説明図である。
【図２４】テープ幅３６（mm）のラベル用テープであって上中下と並列する印刷テープにそれぞれ異なる文字が印刷されている例を説明する説明図である。
【図２５】テープ幅３６（mm）のラベル用テープであって文字が２本のスリットを跨いで印刷されている例を説明する説明図である。
【図２６】テープカセット収納部にセットされたテープカセットの内容表示と文字サイズの選択表示をＬＣＤに表示された状態を説明する説明図である。
【図２７】テープカセット収納部にセットされたテープカセットの内容表示と文字サイズの選択表示をＬＣＤに表示された状態を説明する説明図である。
【図２８】テープ幅３６（mm）のラベル用テープであって、分割印刷テープの上２枚に文字が１本のスリットを跨いで印刷され、更に下1枚に文字が印刷されている例を説明する説明図である。
【図２９】テープカセット収納部にセットされたテープカセットの内容表示と文字サイズの選択表示をＬＣＤに表示された状態を説明する説明図である。
【図３０】テープカセット収納部にセットされたテープカセットの内容表示と文字サイズの選択表示をＬＣＤに表示された状態を説明する説明図である。
【図３１】テープ幅３６（mm）のラベル用テープであって、分割印刷テープの上1枚に文字が印刷され、更に、下２枚に文字が１本の粘着基材スリットを跨いで印刷されている例を説明する説明図である。
【図３２】分割印刷テープに文字等を印刷し、分割両面粘着テープを接着してラミネートタイプのラベル用テープを作成する工程を説明する説明図である。
【図３３】分割印刷テープクミに文字等を印刷し、テープ駆動ローラと送りローラとの間を通過させてレセプタータイプのラベル用テープを作成する工程を説明する説明図である。
【図３４】分割印刷テープに文字等を印刷し、分割両面粘着テープを接着してラミネートタイプのラベル用テープを作成する工程を説明する説明図である。
【図３５】分割印刷テープクミに文字等を印刷し、テープ駆動ローラと送りローラとの間を通過させてレセプタータイプのラベル用テープを作成する工程を説明する説明図である。
【図３６】分割印刷テープに文字等を印刷し、分割両面粘着テープを接着してラミネートタイプのラベル用テープを作成する工程を説明する説明図である。
【図３７】分割印刷テープクミに文字等を印刷し、テープ駆動ローラと送りローラとの間を通過させてレセプタータイプのラベル用テープを作成する工程を説明する説明図である。
【符号の説明】
【００８１】
１．テープ作成装置
５．液晶ディスプレイ（ＬＣＤ） 
８．テープカセット収納部
１１．サーマルヘッド
１７．粘着基材
１７ｃ．分割粘着基材スリット
２０．テープ種検出用穴
２２．分割印刷テープ
２３ａ．インク
２４．分割両面粘着テープ
３４．テープ種検出センサ
４５．分割テープカセット
５０．ＣＰＵ
５３．ＲＯＭ
５４．ＲＡＭ
７１．カバーフィルム
７１ｃ．カバーフィルムスリット
７５．分割補助孔列
【図１】
2007226082.tif 000003
【図２】
2007226082.tif 000004
【図３】
2007226082.tif 000005
【図４】
2007226082.tif 000006
【図５】
2007226082.tif 000007
【図６】
2007226082.tif 000008
【図７】
2007226082.tif 000009
【図８】
2007226082.tif 000010
【図９】
2007226082.tif 000011
【図１０】
2007226082.tif 000012
【図１１】
2007226082.tif 000013
【図１２】
2007226082.tif 000014
【図１３】
2007226082.tif 000015
【図１４】
2007226082.tif 000016
【図１５】
2007226082.tif 000017
【図１６】
2007226082.tif 000018
【図１７】
2007226082.tif 000019
【図１８】
2007226082.tif 000020
【図１９】
2007226082.tif 000021
【図２０】
2007226082.tif 000022
【図２１】
2007226082.tif 000023
【図２２】
2007226082.tif 000024
【図２３】
2007226082.tif 000025
【図２４】
2007226082.tif 000026
【図２５】
2007226082.tif 000027
【図２６】
2007226082.tif 000028
【図２７】
2007226082.tif 000029
【図２８】
2007226082.tif 000030
【図２９】
2007226082.tif 000031
【図３０】
2007226082.tif 000032
【図３１】
2007226082.tif 000033
【図３２】
2007226082.tif 000034
【図３３】
2007226082.tif 000035
【図３４】
2007226082.tif 000036
【図３５】
2007226082.tif 000037
【図３６】
2007226082.tif 000038
【図３７】
2007226082.tif 000039